【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
少なくとも１種類のポリマー樹脂を含む、中間膜を製造するために好適なポリマーシートであって；
シートは少なくとも１つのテーパー状の区域及び少なくとも１つの実質的に水平の区域を含み、テーパー状の区域は少なくとも０．１０ｍｒａｄのくさび角度を有し、実質的に水平の区域は０．０５ｍｒａｄ未満のくさび角度を有し；
シートは少なくとも１つのエンボス加工された表面を含み、エンボス加工された表面の少なくとも７５％は、エンボス加工された表面全体に関する平均Ｒｚ値の２５％以内のＲｚ値を有する上記ポリマーシート。
【請求項２】
テーパー状の区域は、連続的に変化するくさび角度を有する少なくとも１つの変動角度の区域を含む、請求項１に記載のシート。
【請求項３】
テーパー状の区域は、実質的に一定のくさび角度を有する少なくとも１つの一定角度の区域を更に含む、請求項２に記載のシート。
【請求項４】
テーパー状の区域は、実質的に一定のくさび角度を有する少なくとも１つの一定角度の区域を含む、請求項１に記載のシート。
【請求項５】
テーパー状の区域は、異なる実質的に一定のくさび角度を有する２以上の一定角度の区域を含む、請求項４に記載のシート。
【請求項６】
少なくとも１つの実質的に水平の区域は２つの別々の実質的に水平の区域を含み、実質的に水平の区域の一方はシートの最も薄い部分を形成し、実質的に水平の区域の他方はシートの最も厚い部分を形成する、請求項１に記載のシート。
【請求項７】
少なくとも１つのテーパー状の区域は１対の対向して傾斜しているテーパー状の区域を含み、少なくとも１つの実質的に水平の区域は、１対の対向して傾斜しているテーパー状の区域の間に配置されている実質的に水平の中央の区域を含み、及び／又は少なくとも１つの実質的に水平の区域は、１対の対向して傾斜しているテーパー状の区域によって互いから離隔されている２つの実質的に平坦な端部の区域を含む、請求項１に記載のシート。
【請求項８】
エンボス加工された表面は２０μｍ〜９０μｍの範囲の平均Ｒｚ値を有する、請求項１に記載のシート。
【請求項９】
シートは、少なくとも第１のポリマー層、及び第１のポリマー層に隣接する第２のポリマー層を含む多層シートであり、シート中に存在している少なくとも１種類のポリマー樹脂はポリ（ビニルアセタール）樹脂を含み、第１及び第２のポリマー層の少なくとも１つはポリ（ビニルアセタール）樹脂及び少なくとも１種類の可塑剤を含む、請求項１に記載のシート。
【請求項１０】
少なくとも１種類のポリマー樹脂を含む、中間膜を製造するために好適なポリマーシートであって、
シートは、それぞれが少なくとも０．１ｍｒａｄのくさび角度を有する少なくとも２つの傾斜区域を含み、
シートは、次の特徴：
（ｉ）２つの傾斜区域は異なるくさび角度を有する；
（ｉｉ）２つの傾斜区域は対向して傾斜している；
（ｉｉｉ）シートは０．０５ｍｒａｄ未満のくさび角度を有する少なくとも１つの実質的に水平の区域を含む；
の１以上を示し；
シートは少なくとも１つのエンボス加工された表面を含み、エンボス加工された表面の少なくとも７５％は、エンボス加工された表面全体に関する平均Ｒｚ値の２５％以内のＲｚ値を有する上記ポリマーシート。
【請求項１１】
シートは特徴（ｉ）を示し、シートは、２つの傾斜区域の両方を含む１つのテーパー状の区域を更に含む、請求項１０に記載のシート。
【請求項１２】
シートは特徴（ｉｉ）を示し、中心線の反対側に位置する２つの対向して傾斜しているテーパー状の区域を更に含み、対向して傾斜しているテーパー状の区域のそれぞれは２つの傾斜区域の１つを含む、請求項１０に記載のシート。
【請求項１３】
シートは特徴（ｉｉｉ）を更に示し、少なくとも１つの実質的に水平の区域は、中心線によって二分されている実質的に水平の中央の区域を含み、及び／又は少なくとも１つの実質的に水平の区域は、互いから離隔しており、中心線の反対側に位置する２つの実質的に水平の端部の区域を含む、請求項１０に記載のシート。
【請求項１４】
傾斜区域の少なくとも１つは、連続的に変化するくさび角度を有する変動角度の区域である、請求項１０に記載のシート。
【請求項１５】
シートは、少なくとも第１のポリマー層、及び第１のポリマー層に隣接する第２のポリマー層を含む多層ポリマーシートを含み、第１及び第２のポリマー層の少なくとも１つはポリ（ビニルアセタール）樹脂及び少なくとも１種類の可塑剤を含む、請求項１０に記載のシート。
【手続補正２】
【補正対象書類名】明細書
【補正対象項目名】００７９
【補正方法】変更
【補正の内容】
【００７９】
[089]更に、本発明の任意の単一の構成要素に関して与えられている任意の範囲、値、又は特徴は、互換的な場合には、本発明の任意の他の構成要素に関して与えられている任意の範囲、値、又は特徴と互換的に用いて、本明細書全体にわたって与えられているそれぞれの構成要素に関して規定されている値を有する一態様を形成することができることが理解される。例えば、与えられている任意の範囲の可塑剤を含むことに加えて、与えられている任意の範囲の残留ヒドロキシル含量を有するポリ（ビニルブチラール）を含む中間膜を形成して、本発明の範囲内であるが、列記するのは煩雑である多くの変形体を形成することができる。更に、フタレート又はベンゾエートのような属又はカテゴリーに関して与えられている範囲はまた、他に示していない限りにおいて、ジオクチルテレフタレートのようなそのカテゴリーの属又は構成要素の中の種に適用することもできる。
本発明は以下の実施態様を含む。
（１）少なくとも１種類のポリマー樹脂を含む、中間膜を製造するために好適なポリマーシートであって；
シートは少なくとも１つのテーパー状の区域及び少なくとも１つの実質的に水平の区域を含み、テーパー状の区域は少なくとも０．１０ｍｒａｄのくさび角度を有し、実質的に水平の区域は０．０５ｍｒａｄ未満のくさび角度を有し；
シートは少なくとも１つのエンボス加工された表面を含み、エンボス加工された表面の少なくとも７５％は、エンボス加工された表面全体に関する平均Ｒｚ値の２５％以内のＲｚ値を有する上記ポリマーシート。
（２）テーパー状の区域は、連続的に変化するくさび角度を有する少なくとも１つの変動角度の区域を含む、（１）に記載のシート。
（３）テーパー状の区域は、実質的に一定のくさび角度を有する少なくとも１つの一定角度の区域を更に含む、（２）に記載のシート。
（４）テーパー状の区域は、実質的に一定のくさび角度を有する少なくとも１つの一定角度の区域を含む、（１）に記載のシート。
（５）テーパー状の区域は、異なる実質的に一定のくさび角度を有する２以上の一定角度の区域を含む、（４）に記載のシート。
（６）少なくとも１つの実質的に水平の区域は２つの別々の実質的に水平の区域を含み、実質的に水平の区域の一方はシートの最も薄い部分を形成し、実質的に水平の区域の他方はシートの最も厚い部分を形成する、（１）に記載のシート。
（７）少なくとも１つのテーパー状の区域は１対の対向して傾斜しているテーパー状の区域を含み、少なくとも１つの実質的に水平の区域は、１対の対向して傾斜しているテーパー状の区域の間に配置されている実質的に水平の中央の区域を含み、及び／又は少なくとも１つの実質的に水平の区域は、１対の対向して傾斜しているテーパー状の区域によって互いから離隔されている２つの実質的に平坦な端部の区域を含む、（１）に記載のシート。
（８）エンボス加工された表面は２０μｍ〜９０μｍの範囲の平均Ｒｚ値を有する、（１）に記載のシート。
（９）シートは、少なくとも第１のポリマー層、及び第１のポリマー層に隣接する第２のポリマー層を含む多層シートであり、シート中に存在している少なくとも１種類のポリマー樹脂はポリ（ビニルアセタール）樹脂を含み、第１及び第２のポリマー層の少なくとも１つはポリ（ビニルアセタール）樹脂及び少なくとも１種類の可塑剤を含む、（１）に記載のシート。
（１０）少なくとも１種類のポリマー樹脂を含む、中間膜を製造するために好適なポリマーシートであって、
シートは、それぞれが少なくとも０．１ｍｒａｄのくさび角度を有する少なくとも２つの傾斜区域を含み、
シートは、次の特徴：
（ｉ）２つの傾斜区域は異なるくさび角度を有する；
（ｉｉ）２つの傾斜区域は対向して傾斜している；
（ｉｉｉ）シートは０．０５ｍｒａｄ未満のくさび角度を有する少なくとも１つの実質的に水平の区域を含む；
の１以上を示し；
シートは少なくとも１つのエンボス加工された表面を含み、エンボス加工された表面の少なくとも７５％は、エンボス加工された表面全体に関する平均Ｒｚ値の２５％以内のＲｚ値を有する上記ポリマーシート。
（１１）シートはその中心線に対して対称でない、（１０）に記載のシート。
（１２）シートは特徴（ｉ）を示し、シートは、２つの傾斜区域の両方を含む１つのテーパー状の区域を更に含む、（１１）に記載のシート。
（１３）シートはその中心線に対して対称である、（１０）に記載のシート。
（１４）シートは特徴（ｉｉ）を示し、中心線の反対側に位置する２つの対向して傾斜しているテーパー状の区域を更に含み、対向して傾斜しているテーパー状の区域のそれぞれは２つの傾斜区域の１つを含む、（１３）に記載のシート。
（１５）シートは特徴（ｉｉｉ）を更に示し、少なくとも１つの実質的に水平の区域は、中心線によって二分されている実質的に水平の中央の区域を含み、及び／又は少なくとも１つの実質的に水平の区域は、互いから離隔しており、中心線の反対側に位置する２つの実質的に水平の端部の区域を含む、（１３）に記載のシート。
（１６）傾斜区域の少なくとも１つは、連続的に変化するくさび角度を有する変動角度の区域である、（１０）に記載のシート。
（１７）傾斜区域の少なくとも１つは、実質的に一定のくさび角度を有する一定角度の区域である、（１６）に記載のシート。
（１８）シートは、少なくとも第１のポリマー層、及び第１のポリマー層に隣接する第２のポリマー層を含む多層ポリマーシートを含み、第１及び第２のポリマー層の少なくとも１つはポリ（ビニルアセタール）樹脂及び少なくとも１種類の可塑剤を含む、（１０）に記載のシート。
（１９）（ａ）少なくとも１対のローラーであって、その間にニップが画定されており、ローラーの少なくとも１つはエンボス加工表面を含む、少なくとも１対のローラーを準備すること；
（ｂ）ニップを通してローラーの間にポリマーシートを通過させること；及び
（ｃ）通過中に、ポリマーシートを、ポリマーシートの少なくとも一つの表面の少なくとも一部の上にエンボス加工された領域を形成するのに十分な条件下でエンボス加工表面の少なくとも一部と接触させること；
を含み；
ポリマーシートは、少なくとも０．１ｍｒａｄの最小くさび角度を有する少なくとも１つのテーパー状の区域を含み、それぞれのローラーの回転軸の間に画定される角度は最小くさび角度よりも小さい、中間膜の製造方法。
（２０）ローラーの回転軸の間に画定される角度は０．０５ｍｒａｄ未満である、（１９）に記載の方法。
（２１）エンボス加工された領域の少なくとも７５％は、エンボス加工された領域全体に関する平均Ｒｚ値の２５％以内のＲｚ値を有する、（１９）に記載の方法。
（２２）ローラーの他方の表面の少なくとも一部は、２０〜９０の範囲のショアＡ硬度を有するゴム材料で被覆されている、（１９）に記載の方法。
（２３）他の１対のローラーであって、その間に画定される第２のニップを有し、他の１対のローラーの少なくとも１つは第２のエンボス加工表面を含む、他の１対のローラーを更に含み；第２のニップを通してローラーの他の対の間にポリマーシートを通過させ、そして通過中に、ポリマーシートを、ポリマーシートの他の表面の少なくとも一部の上に他のエンボス加工された領域を形成するのに十分な条件下で第２のエンボス加工表面の少なくとも一部と接触させること；を更に含む、（１９）に記載の方法。